(57)【要約】      （修正有）【課題】製造工程において、電極と区別されるように視認される幅が大きい絶縁領域部分に有するダミーパターンと電極との間が短絡していたとしても、短絡の発生に起因する不良品の発生を従来技術に比べて大幅に低減でき、製造上の歩留まりが高い静電容量式タッチパネルを提供する。【解決手段】絶縁基材の同一面上に、複数の第１の電極と、複数の第２の電極と、互いに隣接する第１の電極と第２の電極との間の絶縁領域４０に配設された電極と一つの構成材料または一つの屈折率を有する材料からなるダミーパターン５０と、を備える。ダミーパターン５０は、絶縁領域の長手方向に細分化されている。【選択図】図２
2018169844.tif 000002
【特許請求の範囲】
【請求項１】
絶縁基材の同一面上に、
複数の第１の電極と、
複数の第２の電極と、
互いに隣接する前記第１の電極と前記第２の電極との間の絶縁領域に配設された前記電極と一つの構成材料または一つの屈折率を有する材料からなるダミーパターンと、を備え、
前記ダミーパターンは、絶縁領域の長手方向に細分化されていることを特徴とする静電容量式タッチパネル。
【請求項２】
各前記第１の電極および各前記第２の電極が、センサパターン部を連鎖状に有し、各前記第１の電極の前記センサパターン部が前記操作体の位置検出に必要な所要の面積を有し、前記センサパターン部が線状に繋がっている形状に設けられているとともに、各前記第２の電極が、それぞれの前記センサパターン部が前記操作体の位置検出に必要な所要の面積を有し、前記センサパターン部が線状に繋がっている形状に設けられており、
前記ダミーパターンは、第１の電極のセンサパターン部および第２の電極のセンサパターン部のいずれか一方のみと短絡していて、前記センサパターン部と短絡しているダミーパターンの個数をｎとしたとき（ｎは０を含まない自然数）、ｎ個の前記ダミーパターンの面積の和が、前記第１，第２の電極のセンサパターン部の面積の０．４７％以下となるように、一つ当たりの前記ダミーパターンの大きさが決められている請求項１に記載の静電容量式タッチパネル。
【請求項３】
前記ダミーパターンは、略均等の面積となるように細分化されている請求項２に記載の静電容量式タッチパネル。
【請求項４】
各前記第１の電極および各前記第２の電極が、センサパターン部を連鎖状に有し、各前記第１の電極の前記センサパターン部が前記操作体の位置検出に必要な所要の面積を有し、前記センサパターン部が線状に繋がっている形状に設けられているとともに、各前記第２の電極が、それぞれの前記センサパターン部が前記操作体の位置検出に必要な所要の面積を有し、前記センサパターン部が線状に繋がっている形状に設けられており、
前記ダミーパターンは、第１の電極のセンサパターン部および第２の電極のセンサパターン部のいずれか一方のみと短絡していて、所定の範囲内において、前記第１の電極の前記センサパターン部と前記第２の電極の前記センサパターン部との間の静電容量値について、当該センサパターン部が前記ダミーパターンと短絡しているときの静電容量値が、当該センサパターン部が前記ダミーパターンと短絡していないときの静電容量値に比して、１．１９％以下で増加している請求項１に記載の静電容量式タッチパネル。
【発明の詳細な説明】
【技術分野】
【０００１】
本発明は、指などの接触位置あるいは接近位置を静電容量の変化として検出可能な静電容量式タッチパネルに関する。
【背景技術】
【０００２】
近年、各種電子機器の表示装置、例えば携帯電話の表示画面には液晶表示画面と、その表面に積層された透明な静電容量式タッチパネルとを有し、液晶表示画面に表示された指示画像を参照しながら、この指示画像が表示されている箇所に指などを触れることで、指示画像に対応する情報の入力が行えるものが主流となっている。
【０００３】
透明な絶縁基材（例えばガラス基板）上に、透明な電極を形成して構成された静電容量式タッチパネルにおいて、肉眼における形状認識の限界値との関係から、電極間の絶縁領域の幅を例えば３０μｍ以下とすれば、電極と絶縁領域との間で光学的な屈折率や反射率に差があっても電極の輪郭が目立つということはない。
【０００４】
しかし、静電容量式タッチパネルの製造は、絶縁基材の一方の面に全面的に透明導電膜（例えばＩＴＯ膜）を形成した後、レーザーエッチング法、あるいはフォトリソグラフィーにより透明導電膜をエッチングして絶縁領域を形成し、位置検出用信号が印加される第１の電極と、指など近接させた位置の第１の電極との間で生じる静電容量を外部に出力するための第２の電極とを形成することにより行われる。なお、絶縁基材と透明導電膜との間に屈折率の差異を緩和するための光学層を設けてもよい。
【０００５】
このとき、電極間の絶縁領域の全長について、幅３０μｍ以下となるように透明導電膜をエッチングすれば、製造上のエラーとして、隣り合う電極同士が短絡する確率が高くなり、電極同士が短絡したものは不良品として廃棄される。また、電極間の絶縁領域の全長について、幅３０μｍ以下となるように透明導電膜をエッチングすると、互いに隣接する第１の電極と第２の電極との距離が小さくなるため、第１の電極から、静電容量式タッチパネルの操作面上の空間を介して第２の電極へ向かう電気力線が減少し、これに伴って指などが接触あるいは接近した際の電気力線の変化が少なくなるので、検出感度が低下するという不具合が生じる。
【０００６】
そこで、電極の交差部を除き、電極間の絶縁領域の幅を３０μｍよりも大きくするとともに、電極間の絶縁領域の幅の広い部分に対し、電極と短絡しない浮島状態にダミー電極を設けて、検出感度を高く保ちつつ、電極の輪郭が目立たないようにする技術が開示されている（特許文献１）。
【先行技術文献】
【特許文献】
【０００７】
【特許文献１】特許第４７２０８５７号公報
【発明の概要】
【発明が解決しようとする課題】
【０００８】
しかしながら、特許文献１に記載された静電容量型入力装置（静電容量式タッチパネル）にあっては、第１の透光性電極パターンおよび第２の透光性電極パターンのいずれかとダミーパターンとの間に短絡が生じた場合、該短絡したダミーパターンの面積が大きいため、面積の増加分に比例して検出される静電容量値が大きく影響されることに起因して、第１，第２の透光性電極パターン間の静電容量値の検出に基づく位置検出精度が大きく低下することになるが、このことについては明示が無く、さらに、短絡した製品について、製品検査時に良品と不良品のいずれとして取り扱うべきかについて明示も示唆も無い。
【０００９】
本発明はこのような問題を解決するためになされたもので、製造工程において、電極と区別されるように視認される幅が大きい絶縁領域部分に有するダミーパターンと電極との間が短絡していたとしても、短絡の発生に起因する不良品の発生を従来技術に比べて大幅に低減でき、製造上の歩留まりが高い静電容量式タッチパネルを提供することを目的とする。
【課題を解決するための手段】
【００１０】
本発明に係る静電容量式タッチパネルは、上記目的を達成するため、絶縁基材の同一面上に、複数の第１の電極と、複数の第２の電極と、互いに隣接する前記第１の電極と前記第２の電極との間の絶縁領域に配設された前記電極と一つの構成材料または一つの屈折率を有する材料からなるダミーパターンと、を備え、前記ダミーパターンは、絶縁領域の長手方向に細分化されている構成である。
【００１１】
特許文献１の従来技術では、電極と区別されるように視認される幅が大きい絶縁領域部分に、一つのダミーパターンが設けられているので、ダミーパターンが電極と短絡すると、その短絡が一箇所だけ発生した場合であっても、電極の面積に対して、短絡によって増加するダミーパターンの面積が極めて大きくなり、短絡していない場合における静電容量値に対する静電容量の変化が大きくなって、操作体の位置検出を正確に行うことができなくなるから、僅か一箇所の短絡が発生した製品を不良品とせざるを得ず、不良品の発生率が高く、製造上の歩留まりが低いものとなる。これに対し、本発明によれば、電極と区別されるように視認される幅が大きい絶縁領域部分に、細分化された複数のダミーパターンを有する構成であるから、製造工程において、細分化されたダミーパターンと電極との間が短絡していたとしても、短絡の発生箇所が少数であれば、電極の面積に対して、電極に短絡したダミーパターンの面積の増加を小さく抑えられるため、短絡が発生している状態であっても、操作体の位置検出を正確に行うことができ、短絡の発生に起因する不良品の発生を従来技術に比べて大幅に低減できる。本発明によれば、細分化された複数のダミーパターンを均等な面積となるように形成した場合と、ランダムな大きさに形成した場合の両方を含む。
【００１２】
本発明に係る静電容量式タッチパネルは、各前記第１の電極および各前記第２の電極が、センサパターン部を連鎖状に有し、各前記第１の電極の前記センサパターン部が前記操作体の位置検出に必要な所要の面積を有し、前記センサパターン部が線状に繋がっている形状に設けられているとともに、各前記第２の電極が、それぞれの前記センサパターン部が前記操作体の位置検出に必要な所要の面積を有し、前記センサパターン部が線状に繋がっている形状に設けられており、前記ダミーパターンは、第１の電極のセンサパターン部および第２の電極のセンサパターン部のいずれか一方のみと短絡していて、前記センサパターン部と短絡しているダミーパターンの個数をｎとしたとき（ｎは０を含まない自然数）、ｎ個の前記ダミーパターンの面積の和が、前記第１，第２の電極のセンサパターン部の面積の０．４７％以下となるように、一つ当たりの前記ダミーパターンの大きさが決められている構成とするのがよい。
【００１３】
また、本発明に係る静電容量式タッチパネルは、前記ダミーパターンが、略均等の面積となるように細分化されている構成とするのがよい。
【００１４】
本発明によれば、短絡の発生箇所がｎ個までは、第１，第２の電極のセンサパターン部の面積の０．４７％以下の面積の増加であり、シミュレーションの結果に基づき、この範囲であれば、短絡が生じていても操作体の位置検出を正確に行うことができる良品であると判断することができるため、製造上の歩留まりを改善することができる。なお、数ｎとダミーパターンの面積は、製造上の短絡が発生する可能性に応じて、任意に定められてよい。
【００１５】
本発明に係る静電容量式タッチパネルは、各前記第１の電極が、それぞれの前記センサパターン部が前記操作体の位置検出に必要な所要の面積を有し、前記センサパターン部が線状に繋がっている形状に設けられているとともに、各前記第２の電極が、それぞれの前記センサパターン部が前記操作体の位置検出に必要な所要の面積を有し、前記センサパターン部が線状に繋がっている形状に設けられており、前記ダミーパターンは、第１の電極のセンサパターン部および第２の電極のセンサパターン部のいずれか一方のみと短絡していて、所定の範囲内において、前記第１の電極の前記センサパターン部と前記第２の電極の前記センサパターン部との間の静電容量値について、当該センサパターン部が前記ダミーパターンと短絡しているときの静電容量値が、当該センサパターン部が前記ダミーパターンと短絡していないときの静電容量値に比して、１．１９％以下で増加している構成とするのがよい。
【００１６】
本発明によれば、細分化された複数のダミーパターンを均等な面積となるように形成した場合と、ランダムな大きさに形成した場合のいずれも含み、実験の結果に基づき、ダミーパターンを細分化したことによって、センサパターン部とダミーパターンとの間に短絡が生じた箇所があった場合であっても、短絡の発生箇所が少なく、静電容量値の増加割合が所定の割合よりも小さければ、短絡が生じていても操作体の位置検出を正確に行うことができる良品であると判断することができるため、製造上の歩留まりを改善することができる。
【発明の効果】
【００１７】
本発明によれば、製造工程において、電極と区別されるように視認される幅が大きい絶縁領域部分に有するダミーパターンと電極との間が短絡していたとしても、短絡の発生に起因する不良品の発生を従来技術に比べて大幅に低減でき、製造上の歩留まりが高い静電容量式タッチパネルを提供することができる。
【図面の簡単な説明】
【００１８】
【図１】本発明の実施の形態に係る模擬の静電容量式タッチパネルの正面図である。
【図２】本発明の実施の形態に係る模擬の静電容量式タッチパネルの模擬の部分拡大図である。
【図３】本発明の実施の形態に係る模擬の静電容量式タッチパネルを示し、１個分のセンサパターン部の拡大図である。
【図４】本発明の実施の形態に係る現物の静電容量式タッチパネルの正面図である。
【図５】本発明の実施の形態に係る現物の静電容量式タッチパネルに適用した１０種類の短絡の形状を示す一覧表である。
【図６】本発明の実施の形態に係る現物の静電容量式タッチパネルの四隅の短絡の位置座標と短絡の形状を示す一覧表である。
【図７】本発明の実施の形態の、ダミーパターンの短絡が異なる１０種類の現物の静電容量式タッチパネルに係り、短絡しているサンプルと、短絡していないサンプルについて、平均値、分散に関して差分が無いか検定を行い、感度、精度への影響度の確認結果を示す一覧表である。
【図８】本発明の実施の形態の、静電容量式タッチパネルとしてのショートパターンセンサに係り、タッチオフ時の静電容量とタッチオン時の静電容量等の測定結果を表するシミュレーション測定とした結果を示す一覧表である。
【図９】本発明の実施の形態の、静電容量式タッチパネルとしてのショートパターンセンサの構成を示す図である。
【図１０】本発明の実施の形態の、静電容量式タッチパネルとしてのショートパターンセンサについて、シミュレーション測定を行う方法を示す図である。
【発明を実施するための形態】
【００１９】
以下、本実施の形態に係る静電容量式タッチパネルについて図面を参照して説明する。
【００２０】
本実施の形態に係る静電容量式タッチパネルは、透明ガラスや透明プラスチックなどの絶縁基板と、絶縁基板の上面に形成される複数列の第１の電極と、複数列の第２の電極と、絶縁基板の上面に積層される絶縁体フィルムと、を有し、指等の操作体が接触または近接するとその付近の電極の静電容量の変化を縦横二つの電極列から知ることで位置を精密に判別でき、多点検出が可能である。以下では、絶縁基板の上面に形成される複数列の第１の電極と、複数列の第２の電極について説明する。なお、積層される絶縁体フィルムの有無は任意でよい。
【００２１】
図１に示すように、本実施の形態に係る静電容量式タッチパネル１は、絶縁基材１０の同一面（入力面）上に、矢印Ｘで示す第１の方向に複数の菱形のセンサパターン部２１を一列連鎖状に延在し、かつ矢印Ｙ方向に複数列の第１の電極２０と、矢印Ｙで示す第２の方向に複数の菱形のセンサパターン部３１を一列連鎖状に延在し、かつ矢印Ｘ方向に複数列の第２の電極３０とが配設されている。複数列の第１の電極２０と複数列の第２の電極３０は、導出線の端部である符号６０で示す端子が、図示しない制御ＩＣと接続される。
【００２２】
例えば、複数列の第１の電極２０に順次、位置検出用信号を印加し、その際に、いずれかの箇所に導電体である指等の操作体が接触するか、近接すると、第１の電極２０および第２の電極３０と操作体との間に静電容量を持ち、その結果として静電容量が変化するので、位置検出用信号に応じて複数の第２の電極３０で検出される信号の変化に基づいて、いずれの箇所に操作体が触れたか、操作体の近接または接触位置（Ｘ方向の位置およびＹ方向の位置）を検出するようになっている。
【００２３】
静電容量式タッチパネル１は、例えば、絶縁基材１０の一方の面に全面的に透明導電膜を形成した後、レーザーエッチング法、あるいはフォトリソグラフィーによって、透明導電膜をエッチングすることで、第１の電極２０と第２の電極３０との間に位置する透明導電膜が除去されて、第１の電極２０と第２の電極３０とが形成される。透明導電膜が除去された部分が絶縁領域４０として露出されている。
【００２４】
各第１の電極２０は、連鎖状に連なる二つのセンサパターン部２１同士の細幅の接続部２２がセンサパターン部２１と一体に延在するように形成されているのに対し、各第２の電極３０は、連鎖状に連なる二つのセンサパターン部３１同士の細幅の接続部３２が、第１の電極２０の接続部２２の上に絶縁被膜が積層された後に、接続部２２を跨いでかつ両端を隣り合う二つのセンサパターン部３１と連結するように細幅の接続部３２が後付けで形成されている。
【００２５】
絶縁基材１０は、例えば透明ガラスが用いられ、第１の電極２０と第２の電極３０は、ＩＴＯ（インジウムスズ酸化物薄膜），ＩＺＯ（インジウム亜鉛酸化物薄膜）などの透明導電膜で形成されている。センサパターン部２１，３１は、指等の操作体の近接または接触位置検出に必要な所要の面積を有し、具体的には、例えば対角の長さが約５ｍｍの菱形状に形成されている。
【００２６】
図２，図３に示すように、絶縁領域４０は、各センサパターン部２１，３１の菱形の四辺を囲むように形成され、第１の電極２０の接続部２２と第２の電極３０の接続部３２との立体交差部の近傍では、３０μｍ以下の細幅に形成され、それ以外のところでは、各センサパターン部２１，３１の菱形の四辺に沿って細分化された一列ないし複数列のダミーパターン５０を囲むように３０μｍ以下の細幅で形成されている。
【００２７】
ダミーパターン５０は、絶縁基材１０の一方の面に形成した透明導電膜をレーザーエッチング法などにより第１の電極２０と第２の電極３０を形成する際に同時に形成されている。なお、ダミーパターン５０は、絶縁領域４０の接続部２２と接続部３２との立体交差部の近傍以外を広幅に設けて、後付けで、第１，第２の電極２０，３０と一つの屈折率を有する材料から細分化した形状に形成されていてもよい。すなわち、ダミーパターン５０は、第１，第２の電極２０，３０と一つの構成材料または一つの屈折率を有する材料からなる。絶縁領域４０の細分化されたダミーパターン５０を囲む部分は、格子状、梯子状あるいは亀甲状に形成されている。
【００２８】
この実施の形態では、ダミーパターン５０は、各センサパターン部２１，３１の菱形の四辺に沿って細分化されかつ２列に形成されている。なお、ダミーパターン５０は、１列または３列以上に形成されてもよい。細分化されたダミーパターン５０を囲む絶縁領域４０は、隣り合うセンサパターン部２１，３１を、例えば５００μｍの幅で隔てさせている。ダミーパターン５０を細分化している絶縁領域４０の幅は３０μｍ以下とされる。
【００２９】
この実施の形態における各部の面積について詳述する。細分化された個々のダミーパターン５０の面積について、立体交差部付近に位置する２つの台形状のダミーパターンは、小さい方のものは０．０５７ｍｍ２、大きい方のものは０．０７０ｍｍ２であり、その他の矩形のダミーパターンは０．０７７ｍｍ２である。すなわち、ダミーパターン５０は、略均等の面積となるように細分化されている。また、各センサパターン部２１，３１の面積について、センサパターン部２１は１３．２ｍｍ２、センサパターン部３１は１３．３ｍｍ２である。静電容量式タッチパネルの場合は、一対のセンサパターン部２１とセンサパターン部３１との間に生じる静電容量に基づいて検出を行うので、センサパターン部の面積の基準値として、これらの面積の和である２６．５ｍｍ２を用いる。
【００３０】
細分化された各ダミーパターン５０は、センサパターン部２１，３１のいずれとも短絡していない場合と、短絡していても、センサパターン部２１，３１のいずれか一方のみと短絡している場合のいずれかであることが、良品の必要条件とされる。隣り合うセンサパターン部２１，３１の一つでも、細分化されたダミーパターン５０を介して短絡している場合には、短絡箇所ではタッチ位置の検出が正確にできないから、そのような静電容量式タッチパネル１は、不良品とされる。
【００３１】
特に、本実施の形態に係る静電容量式タッチパネル１は、各センサパターン部２１，３１と、細分化ダミーパターン５０との短絡が一つも無い場合が理想的な良品であり、このような状態を当然に対象に含み、ほかに以下の条件Ａと条件Ｂのうちのいずれか一つの条件を満たすようにダミーパターン５０が細分化され、一定数以下の短絡が発生している場合についても良品であり、対象に含むものである。
【００３２】
条件Ａは、細分化されたダミーパターン５０の面積と、短絡したダミーパターン５０の数が一定の関係性を有することを要求している。具体的には、短絡している場合には、各センサパターン部２１，３１について、短絡しているダミーパターン５０の最大の個数をｎとしたとき（ｎは０を含まない自然数）、ｎ個のダミーパターン５０の面積の和が、第１，第２の電極２０，３０のセンサパターン部２１，３１の面積の０．４７％以下となるように、一つ当たりのダミーパターン５０の大きさが決められていること。条件Ａに追加できる、好ましい条件は、ダミーパターン５０が略均等の面積となるように細分化されていることである。
【００３３】
条件Ａを満足すれば、ｎ個のダミーパターン５０の面積の和が、第１，第２の電極２０，３０のセンサパターン部２１，３１の面積の０．４７％以下であることにより、短絡の発生箇所がｎ個までは、第１，第２の電極のセンサパターン部の面積の０．４７％以下の面積の増加であり、シミュレーションの結果に基づき、この範囲であれば、短絡が生じていても操作体の位置検出を正確に行うことができる良品であると判断することができるため、製造上の歩留まりを改善することができる、ということにある。なお、数ｎと細分化されたダミーパターン５０の面積は、製造上の短絡が発生する可能性に応じて、任意に定められてよい。
【００３４】
条件Ｂは、静電容量の変化の大きさの制限に関係している。具体的には、操作体の一検出位置に対応している、第１の電極２０のセンサパターン部２１と、第２の電極３０のセンサパターン部３１との間の静電容量値について、当該二つのセンサパターン部２１，３１のいずれかが細分化されたダミーパターン５０と短絡しているときの静電容量値が、当該二つのセンサパターン部２１，３１のいずれもダミーパターン５０と短絡していないときの静電容量値に比して、１．１９％以下で増加していること。
【００３５】
条件Ｂを満足すれば、細分化された複数のダミーパターンを均等な面積となるように形成した場合と、ランダムな大きさに形成した場合のいずれも含み、ダミーパターンを細分化したことによって、センサパターン部とダミーパターンとの間に短絡が生じた箇所があった場合であっても、短絡の発生箇所が少なく、静電容量値の増加割合が所定の割合よりも小さければ、短絡が生じていても操作体の位置検出を正確に行うことができる良品であると判断することができるため、製造上の歩留まりを改善することができる、ということにある。
【００３６】
条件Ａが要求される根拠と、条件Ｂが要求される根拠については、以下の、現物での電気的特性への影響評価と、シミュレーションでの電気的特性への影響評価の結果から導いたものである。
【００３７】
［現物での電気的特性への影響評価］
まず、図４に示す静電容量式タッチパネル１を１０種類作製した。１０種類の静電容量式タッチパネル１は、いずれも図２，図３に示すように細分化されたダミーパターンを有するように第１の電極２０と第２の電極３０を有する。
【００３８】
１０種類の静電容量式タッチパネル１は、図４において丸で囲んだ四隅位置のダミーパターンについて、一つのタッチパネルでは四つが同一に短絡され、異なるタッチパネル間では短絡の数が異なるように形成されている。ダミーパターンの四隅の短絡位置の座標は、図４において、左上の短絡位置が（Ｔ×１，Ｒ×１）、左下の短絡位置が（Ｔ×１，Ｒ×１４）、右上の短絡位置が（Ｔ×２６，Ｒ×１）、右下の短絡位置が（Ｔ×２６，Ｒ×１４）である。図５に示す一覧表は、Ａ，Ｂ，Ｃ，Ｄ，Ｅ，Ｆ，Ｇ，Ｈ，Ｉ，Ｊの１０種類のダミーパターンの短絡の状態および短絡の数の関係を示している。
【００３９】
図６に示す一覧表は、ダミーパターンの短絡が異なる１０種類の静電容量式タッチパネル１について、現物での電気特性への影響具合の評価の一つの指数として、Ｒｅｆｅｒｅｎｃｅ値の影響度確認結果を示す。なお、Ｒｅｆｅｒｅｎｃｅ値とは、静電容量式タッチパネルの電気的検査の際に、静電容量値を代替して示す指標として用いられる検査用指標値であって、電極の面積や絶縁領域の幅などの諸条件に応じた静電容量値と相関がある値である。
【００４０】
図７に示す一覧表は、ダミーパターンの短絡が異なる１０種類の静電容量式タッチパネル１について、現物での電気特性への影響具合の評価の一つの指数として、図５に示す一覧表中に示すＡ−Ｉの短絡している９種類のサンプルと、短絡していないＪのダミーパターンを有するサンプルについて、平均値、分散に関して差分が無いか検定（Ｆ検定、ｔ検定）を行い、感度、精度への影響度の確認結果を示す。計算条件として、有意水準０．１％片側検定→Ｆ値：１．３９３、ｔ値：３．４９５、自由度：３９５（ショートパターン部周辺ポイント３９６−１）を設定した。
【００４１】
図６に示す一覧表の結果と、図７に示す一覧表の結果とを考察すると、次の二つのことが分かった。（１）Ｒｅｆｅｒｅｎｃｅ値に関しては、センサパターン部の一辺の細分化されたダミーパターンの半数をショートさせた場合、すなわち、短絡符号Ｅの場合において、面内ばらつき６σを超える値となった。このため、少なくとも、それ以下の面積で短絡が生じる場合に、良品として扱うことができる。（２）感度、精度に関しては、上下左右のダミーパターンを短絡させた場合から有意差が発生している。したがって、ダミーパターンを短絡させたときへの影響具合は低いと言える。
【００４２】
［シミュレーションでの電気的特性への影響評価］
シミュレーションにおける電気的特性を調べる方法について説明する。
【００４３】
まず、図８中に示す１０種類のショートパターンセンサモデルＡ〜Ｊを作製した。なお、これらのショートパターンモデルは、図５，図６に示した現物での電気的特性への影響評価に用いたＡ〜Ｊの１０種類のショートパターンに対応している。ショートパターンセンサモデルＡ〜Ｊは、図９に示すように、第１の電極２０と、第２の電極３０と、細分化されたダミーパターンとを有する１個のセンサパターン部をＸ方向に３列、Ｙ方向に３列となるように配列されている。図９において、ダミーパターンは示されていない。第１の電極２０は、センサパターン部２１同士を細幅の接続部２２で接続され、第２の電極３０は、センサパターン部３１同士を細幅の接続部３２で接続されている。この構成は、図２，図３を用いて説明した通りである。
【００４４】
ショートパターンセンサモデルＡ〜Ｊは、細分化されたダミーパターンのうち、図８中に示す四隅位置の円または楕円で囲まれた位置のダミーパターンについては、図５に示す一覧表に示す１０通りで短絡している。すなわち、短絡は、一つのショートパターンセンサモデルでは四つが同一に短絡され、異なるタッチパネル間では短絡の数が異なるように、図５に示す一覧表に示す１０通りで短絡している。
【００４５】
ショートパターンセンサモデルＡ〜Ｊのシミュレーション測定は、図１０に示すように、複数の部材ａ〜ｈの部材を積層し、真鍮製擬似指である操作体Ｆをショートパターンセンサモデルの中央に位置するようにして、載せたときはタッチオン、載せないときはタッチオフとして行う。図８中に示す１０種類のショートパターンセンサモデルＡ〜Ｊは、部材ｄのセンサパターン部として交換される。
【００４６】
図８に示す一覧表は、ショートパターンセンサモデルＡ〜Ｊに関するシミュレーション測定として、縦方向に３列の中の中央の第１の電極２０と、横方向に３列の中の中央の第２の電極３０との間に生じる、タッチオフ時の静電容量とタッチオン時の静電容量等の測定結果を表したものである。
【００４７】
図８に示す一覧表は、タッチオフ時の容量Ｃｍ［ｆＦ］、タッチオン時の容量Ｃｍ'［ｆＦ］、ＣｍとＣｍ'とから算出するＣｍ変化率（＝（各ショートパターンセンサモデルＡ〜Ｉの容量Ｃｍ［ｆＦ］−ショートパターンセンサモデルＪの容量Ｃｍ［ｆＦ］）×１００）［％］、実測Ｒｅｆｅｒｅｎｃｅ値、推測Ｒｅｆｅｒｅｎｃｅ値、ΔＣｍ：感度（＝（タッチオフ時の静電容量−タッチオン時の静電容量））［ｆＦ］、実測Ｒｅｆｅｒｅｎｃｅ値、推測Ｒｅｆｅｒｅｎｃｅ値、ショートパターンセンサモデル全体の面積［ｍｍ２］、および１センサ当りの面積の増加割合を示している。図８の一覧表中の判定項目において：「不可」は推測Ｒｅｆｅｒｅｎｃｅ値から電気検査を通過しないと予想されるもの、「可」は推測Ｒｅｆｅｒｅｎｃｅ値から電気検査を通過すると予想されるものとして表示した。
【００４８】
シミュレーション測定の結果を考察すると、次のことが言える。
（１）静電容量ＣｍとＲｅｆｅｒｅｎｃｅ値とは、９８％以上の相関関係がある。
（２）Ｒｅｆｅｒｅｎｃｅ値の良品判定規格値は、２４０００＜Ｒｅｆｅｒｅｎｃｅ値＜２７６００の範囲内であり、ショートパターンセンサモデルＥ，Ｆ，Ｇ，Ｈについては、推測Ｒｅｆｅｒｅｎｃｅ値から電気検査を通過しない、すなわち、電気検査による良否判定において不良品であることが判定可能である（判定：可）ものと予想される。
（３）制御ＩＣの静電容量の制御範囲は０．６〜３．０［ｐＦ］であるため、静電容量は、制御ＩＣで制御可能である。
（４）ショートパターンセンサモデルＥ〜Ｈは、Ｒｅｆｅｒｅｎｃｅ値より、タッチパネルの動作に問題が生じるものと思われる。
（５）例えば、ショートパターンセンサモデルＨは、ショートパターンセンサモデルＪに比し、感度が１４％上昇（ΔＣｍについて、モデルＪ；２０２．３，モデルＨ；２３１．１）するが、推測Ｒｅｆｅｒｅｎｃｅ値より、タッチパネルの動作に問題が生じるものと思われる。ショートパターンセンサモデルＥ〜Ｇにも同様のことが言える。
（６）ショートパターンセンサモデルＩは、Ｃｍ変化率が２．７９であり、Ｒｅｆｅｒｅｎｃｅ値への影響度を低減できる。ただし、現物での電気的特性の測定結果から、面内ばらつきが６σを超える場合があることが確認できているので、Ｃｍ変化率としては、ショートパターンセンサモデルＤ相当の１．１９以下にすることが望ましく、また、１センサ当りの短絡による面積の増加率が０．４７以下にすることが望ましい。このことから、上述した条件Ａの数値と、条件Ｂの数値とを規定している。
【００４９】
以上のように、本実施の形態によれば、第１，第２の電極２０，３０の境界である絶縁領域４０のうち、第１，第２の電極２０，３０と区別されるように視認される幅が大きい絶縁領域部分に、細分化された複数のダミーパターン５０を有する構成であるから、製造工程において、少数のダミーパターン５０と電極との間が短絡しても、短絡の発生箇所が少数であれば、電極の面積に対して、電極に短絡したダミーパターン５０の面積の増加を小さく抑えられ、操作体の位置検出を正確に行うことができ、短絡の発生に起因する不良品の発生を従来技術に比べて大幅に低減できる。これに対し、特許文献１の従来技術では、ダミーパターンが電極と短絡すると、その短絡が一箇所だけ発生した場合であっても、電極の面積に対して、短絡によって増加するダミーパターンの面積が極めて大きくなり、短絡していない場合における静電容量値に対する静電容量の変化が大きくなって、操作体の位置検出を正確に行うことができなくなるから、僅か一箇所の短絡が発生した製品を不良品とせざるを得ず、不良品の発生率が高く、製造上の歩留まりが低いものとなる。
【００５０】
以上説明したように、本発明によれば、製造工程において、電極と区別されるように視認される幅が大きい絶縁領域部分にダミーパターンを有し、ダミーパターンと電極との間が短絡していたとしても、製品検査において、良品と不良品とに明確に判別することが可能であり、製品の歩留まりが高いという効果を有し、静電容量式タッチパネル全般に有用である。
【符号の説明】
【００５１】
１  静電容量式タッチパネル
１０  絶縁基材
２０  第１の電極
２１  センサパターン部
３０  第２の電極
３１  センサパターン部
４０  絶縁領域
５０  ダミーパターン
Ｆ  操作体
【図１】
2018169844.tif 000003
【図２】
2018169844.tif 000004
【図３】
2018169844.tif 000005
【図４】
2018169844.tif 000006
【図５】
2018169844.tif 000007
【図６】
2018169844.tif 000008
【図７】
2018169844.tif 000009
【図８】
2018169844.tif 000010
【図９】
2018169844.tif 000011
【図１０】
2018169844.tif 000012
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
絶縁基材の同一面上に、複数の第１の電極と、複数の第２の電極と、両電極の間の絶縁領域に配設された、前記両電極と同一の構成材料または一つの屈折率を有する材料からなるダミーパターンと、を備え、
各前記電極が、それぞれ操作体のタッチ位置検出に必要な面積を有する複数のセンサパターン部が一列の連鎖状に繋がる列形状をなすとともに、複数列の前記第１の電極と複数列の前記第２の電極とが、互いに交差するように配置されており、
前記ダミーパターンは、前記第１の電極の複数のセンサパターン部と前記第２の電極の複数のセンサパターン部とのうち各一対の隣り合うセンサパターン部の間に配置されるとともに、相互間および／または前記隣り合うセンサパターン部との間に一定の個数以下の短絡が発生し得る複数個の細分化ダミーパターン部分に細分化されており、
前記隣り合うセンサパターン部のいずれか一方に短絡した前記一定の個数の細分化ダミーパターン部分の面積の和が前記隣り合うセンサパターン部の面積の和に対し所定比率に設定されることで、前記細分化ダミーパターン部分が前記隣り合うセンサパターン部に短絡していないときの静電容量値に比して、前記隣り合うセンサパターン部の間の静電容量の変化量が、前記いずれか一方のセンサパターン部に短絡し得る前記ダミーパターン部分の前記一定の個数に応じて所定範囲内に制限されるよう構成されていることを特徴とする静電容量式タッチパネル。
【請求項２】
前記隣り合うセンサパターン部の間に、前記細分化ダミーパターン部分が、複数列に配置されていることを特徴とする請求項１に記載の静電容量式タッチパネル。
【請求項３】
前記ダミーパターンは、前記複数個の細分化ダミーパターン部分が略均等の面積となるように細分化されており、
前記隣り合うセンサパターン部の面積の和に対する前記一定の個数の細分化ダミーパターン部分の面積の和の前記所定比率が、０．４７％以下となるように、前記ダミーパターンおよび前記細分化ダミーパターン部分の大きさが決められていることを特徴とする請求項１または２に記載の静電容量式タッチパネル。
【請求項４】
前記ダミーパターンが前記隣り合うセンサパターン部のいずれか一方に短絡したときに変化する前記隣り合うセンサパターン部の間の静電容量の変化量が、前記ダミーパターンが前記隣り合うセンサパターン部に短絡していないときの静電容量値に比して、１．１９％以下の増加であることを特徴とする請求項１ないし３のいずれか一項に記載の静電容量式タッチパネル。
【手続補正２】
【補正対象書類名】明細書
【補正対象項目名】００１０
【補正方法】変更
【補正の内容】
【００１０】
本発明に係る静電容量式タッチパネルは、上記目的を達成するため、絶縁基材の同一面上に、複数の第１の電極と、複数の第２の電極と、互いに隣接する前記第１の電極と前記第２の電極との間の絶縁領域に配設された前記電極と一つの構成材料または一つの屈折率を有する材料からなるダミーパターンと、を備え、前記ダミーパターンは、前記ダミーパターンは、少なくとも絶縁領域の長手方向に細分化されている構成である。
【手続補正３】
【補正対象書類名】明細書
【補正対象項目名】００１１
【補正方法】変更
【補正の内容】
【００１１】
特許文献１の従来技術では、電極と区別されるように視認される幅が大きい絶縁領域部分に、一つのダミーパターンが設けられているので、ダミーパターンが電極と短絡すると、その短絡が一箇所だけ発生した場合であっても、電極の面積に対して、短絡によって増加するダミーパターンの面積が極めて大きくなり、短絡していない場合における静電容量値に対する静電容量の変化が大きくなって、操作体の位置検出を正確に行うことができなくなるから、僅か一箇所の短絡が発生した製品を不良品とせざるを得ず、不良品の発生率が高く、製造上の歩留まりが低いものとなる。これに対し、本発明によれば、電極と区別されるように視認される幅が大きい絶縁領域部分に、相互間および／または隣り合うセンサパターン部との間に一定の個数以下の短絡が発生し得ることを予め想定して細分化された複数の細分化ダミーパターン部分を有する構成であるから、製造工程において、細分化されたダミーパターンと電極との間が短絡していたとしても、電極の面積に対して、電極に短絡したダミーパターンの面積の増加を小さく抑えられるため、短絡が発生している状態であっても、タッチ位置検出を正確に行うことができ、短絡の発生に起因する不良品の発生を従来技術に比べて大幅に低減できる。本発明によれば、細分化された複数のダミーパターンを均等な面積となるように形成した場合と、ランダムな大きさに形成した場合の両方を含む。
【手続補正４】
【補正対象書類名】明細書
【補正対象項目名】００１７
【補正方法】変更
【補正の内容】
【００１７】
本発明によれば、製造工程において、電極と区別されるように視認される幅が大きい絶縁領域部分に相互間および／または隣り合うセンサパターン部との間に一定の個数以下の短絡が発生し得ることを予め想定して細分化された細分化ダミーターン部分を設けているので、ダミーパターンと電極との間が短絡していたとしても、短絡の発生に起因する不良品の発生を従来技術に比べて大幅に低減でき、製造上の歩留まりが高い静電容量式タッチパネルを提供することができる。
【手続補正５】
【補正対象書類名】明細書
【補正対象項目名】００４９
【補正方法】変更
【補正の内容】
【００４９】
以上のように、本実施の形態によれば、第１，第２の電極２０，３０の境界である絶縁領域４０のうち、第１，第２の電極２０，３０と区別されるように視認される幅が大きい絶縁領域部分に、細分化された複数のダミーパターン５０（細分化ダミーパターン部分）を有する構成であるから、製造工程において、少数のダミーパターン５０と電極との間が短絡しても、短絡の発生箇所が少数であれば、電極の面積に対して、電極に短絡したダミーパターン５０の面積の増加を小さく抑えられ、操作体の位置検出を正確に行うことができ、短絡の発生に起因する不良品の発生を従来技術に比べて大幅に低減できる。これに対し、特許文献１の従来技術では、ダミーパターンが電極と短絡すると、その短絡が一箇所だけ発生した場合であっても、電極の面積に対して、短絡によって増加するダミーパターンの面積が極めて大きくなり、短絡していない場合における静電容量値に対する静電容量の変化が大きくなって、操作体の位置検出を正確に行うことができなくなるから、僅か一箇所の短絡が発生した製品を不良品とせざるを得ず、不良品の発生率が高く、製造上の歩留まりが低いものとなる。
【手続補正６】
【補正対象書類名】明細書
【補正対象項目名】００５１
【補正方法】変更
【補正の内容】
【００５１】
１  静電容量式タッチパネル
１０  絶縁基材
２０  第１の電極
２１  センサパターン部
３０  第２の電極
３１  センサパターン部
４０  絶縁領域
５０  ダミーパターン（細分化ダミーパターン部分）
Ｆ  操作体